(57)【要約】【課題】取り付け状態を変えずに使用者の希望に応じた配光が可能で、用途や状況に合わせて使用することができる蛍光灯型LEDランプを提供する。【解決手段】蛍光灯照明器具２のソケットの差込孔に嵌め入れる装着用突起３を長方形状の支持基体４の長手方向両端５にそれぞれ設け、この長手方向両端の間で同支持基体４に複数のLED６を配置した照明基板７を取り付けてなる蛍光灯型LEDランプ１において、照明基板７を支持基体４に回動自在に取り付けてなる。【選択図】図１
2007122933.tif 000002
【特許請求の範囲】
【請求項１】
蛍光灯照明器具のソケットの差込孔に嵌め入れる装着用突起を長方形状の支持基体の長手方向両端にそれぞれ設け、この長手方向両端の間で同支持基体に複数のLEDを配置した照明基板を取り付けてなる蛍光灯型LEDランプにおいて、照明基板を支持基体に回動自在に取り付けてなる蛍光灯型LEDランプ。
【請求項２】
複数個の照明基板を、照明基板の回動軸が相互に平行になるように支持基体に取り付けてなることを特徴とする請求項１記載の蛍光灯型LEDランプ。
【請求項３】
照明基板を、照明基板の回動軸が支持基体の長手方向に対して平行になるように取り付けてなることを特徴とする請求項１又は請求項２記載の蛍光灯型LEDランプ。
【請求項４】
照明基板を、照明基板の回動軸が支持基体の短手方向に対して平行になるように取り付けてなることを特徴とする請求項１又は請求項２記載の蛍光灯型LEDランプ。
【発明の詳細な説明】
【技術分野】
【０００１】
本願発明は、LEDを配置した照明基板を支持基体に取り付けてなる蛍光灯型LEDランプに関するものである。
【背景技術】
【０００２】
従来から、特開２００４−３０３６１４号公報（特許文献１）に示されるように、LEDを用いた蛍光灯型LEDランプは知られている。この蛍光灯型LEDランプは図５に示すように、蛍光灯照明器具のソケットの差込孔に嵌め入れる装着用突起３を長方形状の支持基体４の長手方向両端にそれぞれ設け、この長手方向両端の間で同支持基体４に複数のLED６を配置した照明基板７を取り付けている。
【特許文献１】特開２００４−３０３６１４号公報
【発明の開示】
【発明が解決しようとする課題】
【０００３】
しかしながら、特開２００４−３０３６１４号公報に示される上記従来例の蛍光灯型LEDランプ１にあっては、一定の範囲にしか照射することができず、使用者の希望に応じた配光をすることができない。
【０００４】
本願発明は上記背景技術に鑑みて発明されたものであり、その課題は、取り付け状態を変えずに使用者の希望に応じた配光が可能で、用途や状況に合わせて使用することができる蛍光灯型LEDランプを提供することである。
【課題を解決するための手段】
【０００５】
上記課題を解決するために、本願請求項１記載の発明では、蛍光灯照明器具のソケットの差込孔に嵌め入れる装着用突起を長方形状の支持基体の長手方向両端にそれぞれ設け、この長手方向両端の間で同支持基体に複数のLEDを配置した照明基板を取り付けてなる蛍光灯型LEDランプにおいて、照明基板を支持基体に回動自在に取り付けてなっている。
【０００６】
又、本願請求項２記載の発明では、上記請求項１記載の蛍光灯型LEDランプにおいて、複数個の照明基板を、照明基板の回動軸が相互に平行になるように支持基体に取り付けてなることを特徴としている。
【０００７】
又、本願請求項３記載の発明では、上記請求項１又は請求項２記載の蛍光灯型LEDランプにおいて、照明基板を、照明基板の回動軸が支持基体の長手方向に対して平行になるように取り付けてなることを特徴としている。
【０００８】
又、本願請求項４記載の発明では、上記請求項１又は請求項２記載の蛍光灯型LEDランプにおいて、照明基板を、照明基板の回動軸が支持基体の短手方向に対して平行になるように取り付けてなることを特徴としている。
【発明の効果】
【０００９】
本願請求項１記載の発明の蛍光灯型LEDランプにおいては、支持基体の長手方向両端の間に照明基板を回動自在に取り付けてなるため、照明基板を動かすだけで配光を変えることができる。よって、装着用突起を蛍光灯照明器具のソケットの差込孔に嵌め入れることで支持基体を固定したまま配光を変えることができ、取り付け状態を変えずに配光を変えることができる。又、配光を変えることができることにより、使用者の目的方向に対して照射させることができる。なお、光源として指向性の強いLEDを用いているので、より確実に目的方向に照射させることができる。
【００１０】
本願請求項２記載の発明の蛍光灯型LEDランプにおいては、特に、複数個の照明基板を、照明基板の回動軸が相互に平行になるように支持基体に取り付けてなるため、それぞれの照明基板を回動させることで状況に合わせた配光にすることができる。例えば、全ての照明基板の目的対象を合わせることで侠角配光が得られスポット照明が可能になったり、それぞれの照明基板の照射方向を変えることで中角配光や広角配光が得られワイド照明が可能なったり、する。更に、照明基板を複数個取り付けているので、より光量が強くなる。
【００１１】
本願請求項３記載の発明の蛍光灯型LEDランプにおいては、特に、照明基板が支持基体の長手方向に対して平行になるように取り付けられているため、支持基体の短手方向への配光が自在にできる。
【００１２】
本願請求項４記載の発明の蛍光灯型LEDランプにおいては、特に、照明基板が支持基体の短手方向に対して平行になるように取り付けられているため、支持基体の長手方向への配光が自在にできる。
【発明を実施するための最良の形態】
【００１３】
以下、本願発明を添付図面に示す実施形態に基づいて説明する。
【００１４】
図１〜３は、本願請求項１〜３に対応した第一の実施形態である蛍光灯型LEDランプ１を示している。
【００１５】
この蛍光灯型LEDランプ１は、図１〜３に示すように、蛍光灯照明器具２のソケットの差込孔に嵌め入れる装着用突起３を長方形状の支持基体４の長手方向両端５にそれぞれ設け、この長手方向両端の間で支持基体４に複数のLED６を配置した複数個の照明基板７を回動自在に取り付けている。そして、各照明基板７を、照明基板７の回動軸８が支持基体４の長手方向に対して相互に平行になるように取り付けている。
【００１６】
以下、この蛍光灯型LEDランプ１をより具体的詳細に説明する。図１〜３に示すように、この蛍光灯型LEDランプ１は、支持基体４と、装着用突起３と、照明基板７と、LED６と、によって構成される。
【００１７】
支持基体４は長方形状であり、プラスチック等からなる。この支持基体４は装着用突起３や照明基板７を取り付け、支持するための基体となる。装着用突起３は金属等からなる。装着用突起３は蛍光灯照明器具２のソケットの差込孔に嵌め入れるために設けられている。装着用突起３はこの差込孔に嵌め入れられることで蛍光灯照明器具２を通じて電気を得ることができる。装着用突起３は支持基体４の長手方向両端５にそれぞれ２つずつ設けられている。照明基板７は長方形状であり、プラスチック等からなる。照明基板７は光源を設置するための基板である。照明基板７は支持基体４の長手方向両端の間で支持基体４に回動自在に設けられている。本実施形態においては、支持基体４に回動自在に設置するために、照明基板７に回動軸８を設けている。この回動軸８は金属等からなる。回動軸８は照明基板７の長手方向に対して平行になるように照明基板７に配置され、支持基体４の長手方向両端それぞれに適当な摩擦で支持されている。LED６は照明基板７の一面に複数配置されている。このLED６は蛍光灯型LEDランプ１の照明用の光源である。
【００１８】
この蛍光灯型LEDランプ１は、複数個の照明基板７を、照明基板７の回動軸８が相互に平行になるように支持基体４に取り付けてなる。
【００１９】
この複数個の照明基板７は、図２に示すように、照明基板７の回動軸８が支持基体４の長手方向に対して平行になるように取り付け、回動軸８を支持基体４の長手方向両端５に固定する。この長手方向両端５は一定の高さを有し、支持基体底面１０と接する部分が長手方向両端５下部とした場合における、長手方向両端５上部に回動軸８を固定する。支持基体４の短手方向両端９は、一定の高さを有する。この高さは長手方向両端５よりも低い。
【００２０】
なお、各照明基板７は相互に一定の間隔を空けて設置する。
【００２１】
したがって、この第一の実施形態の蛍光灯型LEDランプ１は、装着用突起３が蛍光灯照明器具２のソケットの差込孔に嵌合し、蛍光灯照明器具２に固定される。装着用突起３は支持基体４の長手方向両端５にそれぞれ２つずつ設けられているので、安定して固定することができる。
【００２２】
又、支持基体４の長手方向両端の間に照明基板７を回動自在に取り付けてなるため、照明基板７を動かすだけで配光を変えることができる。よって、装着用突起３を蛍光灯照明器具２のソケットの差込孔に嵌め入れることで支持基体４を固定したまま配光を変えることができ、取り付け状態を変えずに配光を変えることができる。又、配光を変えることができることにより、使用者の目的方向に対して照射させることができる。なお、光源として指向性の強い照明用LED６を複数用いているので、光量を強めることができるとともに、より確実に目的方向に照射させることができる。
【００２３】
又、支持基体４に回動自在に設置するために、照明基板７に回動軸８を設けている。そして、その回動軸８は、支持基体４の長手方向両端それぞれに適当な摩擦で支持されているので、確実かつ安定して任意の位置で固定することができる。
【００２４】
又、複数個の照明基板７を、照明基板７の回動軸８が相互に平行になるように支持基体４に取り付けてなるため、それぞれの照明基板７を回動させることで状況に合わせた配光にすることができる。例えば、全ての照明基板７の目的対象を合わせることで侠角配光が得られスポット照明が可能になったり、それぞれの照明基板７の照射方向を変えることで中角配光や広角配光が得られワイド照明が可能なったり、する。更に、照明基板７を複数個取り付けているので、より光量が強くなる。
【００２５】
又、照明基板７を支持基体４の長手方向に対して平行に取り付けるには、回動軸８を支持基体４の長手方向両端５に固定する。この長手方向両端５は一定の高さを有し、支持基体底面１０と接する部分が長手方向両端５下部とした場合における、長手方向両端５上部に回動軸８を固定するため、照明基板７が回動するための空間ができ、より安定して回動することが可能となる。そして、支持基体４の短手方向両端９の高さは長手方向両端５よりも低いため、照明基板７の短手方向への照射が妨げられることがない。これにより、支持基体４の短手方向への配光が自在にできる。
【００２６】
又、各照明基板７は相互に一定の間隔を空けて設置しているので、各照明基板７が相互にぶつかったりすることもない。
【００２７】
図４は、本願請求項１、請求項２、請求項４に対応した第二の実施形態である蛍光灯型LEDランプを示している。なお、ここでは、上記第一の実施形態と相違する事項についてのみ説明し、その他の事項（構成、作用効果等）については、上記第一の実施形態と同様であるのでその説明を省略する。
【００２８】
この蛍光灯型LEDランプでは、図４に示すように、各照明基板７を照明基板７の回動軸８が支持基体４の短手方向に対して平行になるように取り付け、回動軸８を支持基体４の短手方向両端９に固定する。この短手方向両端９は一定の高さを有し、支持基体底面１０と接する部分が短手方向両端９下部とした場合における、短手方向両端９上部に回動軸８を固定する。支持基体４の長手方向両端５は、一定の高さを有する。この高さは短手方向両端９と同程度である。
【００２９】
したがって、照明基板７を支持基体４の短手方向に対して平行に取り付けるには、回動軸８を支持基体４の短手方向両端９に固定する。この短手方向両端９は一定の高さを有し、支持基体底面１０と接する部分が短手方向両端９下部とした場合における、短手方向両端９上部に回動軸８を固定するため、照明基板７が回動するための空間ができ、より安定して回動することが可能となる。そして、支持基体４の短手方向両端９の高さは長手方向両端５と同程度であるため、照明基板７の長手方向への照射が妨げられることがない。これにより、支持基体４の長手方向への配光が自在にできる。
【図面の簡単な説明】
【００３０】
【図１】本願発明の第一の実施形態である蛍光灯型LEDランプを示す平面図。
【図２】同蛍光灯型LEDランプを示す斜視図。
【図３】同蛍光灯型LEDランプを示す縦断面図。
【図４】本願発明の第二の実施形態である蛍光灯型LEDランプを示す斜視図。
【図５】従来例である蛍光灯型LEDランプを示す斜視図。
【符号の説明】
【００３１】
１  蛍光灯型LEDランプ
２  蛍光灯照明器具
３  装着用突起
４  支持基体
５  長手方向両端
６  LED
７  照明基板
８  回動軸
９  短手方向両端
１０  支持基体底面
【図１】
2007122933.tif 000003
【図２】
2007122933.tif 000004
【図３】
2007122933.tif 000005
【図４】
2007122933.tif 000006
【図５】
2007122933.tif 000007